(57)【要約】      （修正有）【課題】レモンサイズの大型化と栽培期間の短縮化によって、レモンの栽培量の増大と栽培の促進を意図したもので、現行のレモンよりも、体積が１．５倍以上のジャンボレモンを半か月以上の短期間で収穫する。【解決手段】最適土壌と良好な栽培条件を適用して、レモンの花柱にナツミカンのオシベを受粉させた後短期間でジャンボレモンに成長させる。【選択図】図１
2008154570.tif 000002
【特許請求の範囲】
【請求項１】
レモンの花の花柱にナツミカンの花のオシベを受粉させ、速成栽培させることを特徴とするジャンボレモンの栽培方法。
【請求項２】
レモンの木の回りの土壌上を人工マットで覆うことを特徴とする請求項１記載のジャンボレモンの栽培方法。
【請求項３】
請求項１または請求項２記載の栽培方法により速成栽培したジャンボレモン。
【発明の詳細な説明】
【技術分野】
【０００１】  本発明は、通常のレモンよりも速成栽培が可能な大きなレモン（ジャンボレモンと呼ぶ。）およびその栽培方法に関する。
今日レモンは、各種飲料や食品の香味料あるいは化粧品にいたるまで、私たちの日常生活に広く溶けこんでいる。
現在常用しているレモン（Ｃｉｔｒｕｓ  ｌｉｍｏｎ）は、比較的降水量が少ない温暖な気候を好み、日本では関東地方の平野部より似西の地域でよく栽培されている。また、レモンの栽培には、有機物を大量に含む水はけが良い土壌を好み、他の果樹類に比較して多くの肥料を必要とするのが特徴である。
【非特許文献１】例えば、林  弥栄編者、（株）山と渓谷社、１９８８年発行“日本の樹木”、ｐ．３７５参照。
【背景技術】
【０００２】  レモンは、最近の健康ブームを反映して果実中に大量に含まれるビタミンＣの有効な摂取がさかんに議論されている。このため近年国内のみならず海外からの輸入レモンが大量に使用されるようになって来ている。しかし、海外から輸入されるレモンの多くは、消費者に販売されるまで長期間を要するためにレモンの表面に健康を害さない範囲で防かび剤の表面処理（ＯＰＰ、ＴＲＺ、イマザリル等厚生労働省の基準内を使用）を施されている。このため、食用として使用する際には、レモンの皮を剥ぎ取って使用するか、あるいはレモンの表面を良く水洗いして使用することが必要である。
【発明の開示】
【発明が解決しようとする課題】
【０００３】  本発明は、このような状況を熟慮し、レモンの栽培に画期的な改善を加えたものである。すなわち、レモンサイズの大型化（ジャンボレモン）と栽培期間の短縮化によって、レモンの栽培量の増大と栽培の促進を意図したのが特徴である。
ジャンボレモンを栽培する際には、大きなサイズに成長させることが必要となるため、通常発育に長期間を必要とするが、本考案の方法を採用した場合には、逆に短期間でジャンボレモンの栽培が可能である。
【課題を解決するための手段】
【０００４】  このようなレモンの栽培量の増大と栽培の促進を狙って、鋭意詳細な検討を加えた結果、毎春に咲く淡紫色の５弁のレモン花の中央部先端の花柱にナツミカン（Ｃｉｔｒｕｓ  ｎａｔｓｕｄａｉｄａｉ）の花のオシベをつけて、受粉・成長させることを特徴とするジャンボレモンを栽培することに関するものである。【０００５】  すなわち、本発明の要旨構成は、次のとおりである。
（１）レモンの花の花柱にナツミカンの花のオシベを受粉させ、速成栽培させることを特徴とするジャンボレモンの栽培方法。
（２）レモンの木の回りの土壌上を人工マットで覆うことを特徴とする請求項（１）記載のジャンボレモンの栽培方法。
（３）請求項（１）または請求項（２）記載の栽培方法により速成栽培したジャンボレモン。
【発明の効果】
【０００６】  本発明は、現行の直径４−５ｃｍ程度の楕円形状のレモンサイズよりも、６．５−７．５ｃｍ程度の大きさ（ジャンボレモン）で、かつ現行のレモンと同様緑色の小さい果実を成長させて鮮黄色のジャンボレモンに成熟するまでには、このジャンボレモンが現行のレモンの成熟期間よりも１５−４０日程度の短期間で収穫が可能であることを発見したものである。【０００７】  図１の模式図は、（１）現行のレモン（鮮黄色のレモンに成熟するまで約７ヶ月間かかる。）と（２）本発明により栽培したジャンボレモン（同様の鮮黄色に成熟するまで、現行のレモンの成熟期間よりも１５−４０日短期間で成長可能である。）を比較して示したものである。また、本発明のジャンボレモンは、楕円形状ではあるが、現行のレモンに比較して若干丸形状であり、ナツミカンの形状に似た形態をしているのが特徴である。
このような本発明のジャンボレモンは、現行のレモンに比較して１．５倍以上の大きな体積を有し、かつ緑色の小さい果実から鮮黄色のレモンに成熟するまで１５−４０日程度の短期間での収穫が可能であり、レモンの速成栽培の利用効果が大きいのが特徴である。
【発明を実施するための最良の形態】
【０００８】  以下、本発明の内容を具体的に説明する。
図２は、本発明のレモンの栽培方法を模式的に示したものである。（３）のレモンの木は、約５−１０年程度経過したレモン木を使用するのが良い。（４）は、有機物を大量に含む水はけの良い土壌に植えた方がレモンの生育に最適である。また、レモンの木は耐寒性に弱いため土壌上には、（５）に示すように緑色の人工芝（約１ｃｍ厚）等のシートを置く等して冬の耐寒性の防止と夏の土壌の乾燥を未然に防止するのに役立っための方策を取ることが重要であり、このようなシート類を活用してレモンの木の土壌を保護した方が良い。すなわち、水はけが良くて、耐寒性防止と土壌の乾燥防止をそなえレモン木の土壌を保護できれば良い。【０００９】  （６）の拡大図は、（６−１）に示すように、レモンの花の中央部先端の花柱に、（６−２）のナツミカンのオシベを受粉させる様子（（６−３）の矢印で示す。）を模式的に示す。すなわち、レモンの花の花柱へのナツミカンのオシベの受粉は、ナツミカン花を直接レモンの花柱へ乗せるかあるいはメンボウを介してレモンの花柱に付けて花の中をかき回す等して着花性を高めることが重要である。また、ナツミカン花粉以外に、イヨミカン、グレープフルーツ、デコポン、ハッサク、アマナツ等のミカン類の花粉を用いてもよい。【００１０】  レモン花柱への受粉後は、果実を着実に生育させるため、３−４ヶ月間隔で骨粉や油粕等の粉末あるいは固形肥料、有機複合肥料、配合化成肥料、あるいは腐葉土を年間を通して施した方が良い。【００１１】  このようなジャンボレモンの短期間の栽培には、ナツミカンの花粉を用いるのが最適であるが、その他に、イヨミカン、グレープフルーツ、デコポン、ハッサク、アマナツ等のミカン類の花粉を用いることも可能である。
また、ジャンボレモン中に存在する種を用いて、この種を発芽・生育させることによりレモンサイズが大きく短期間での栽培可能なレモンも供給可能である。
【実施例】
【００１２】  冬の到来前の１１月頃約１０年を経過したレモンの木を使用し、元肥として骨粉や油粕等の固形肥料、有機複合肥料（チッソ▲７▼：リンサン▲１２▼：カリ▲６▼の割合で配合）、配合化成肥料、腐葉土を１：１：０．５：１の割合で土壌に施した。この土壌上には、図２の（３）に示すように緑色の人工芝（約１ｃｍ厚）シートを敷いて冬の耐寒性の防止と夏の土壌の乾燥を防止に役立つための方策を行った。【００１３】  翌年の４月下旬から５月上旬にかけてレモンの花が咲く。図２中の（４）の詳細図で示すような方法でレモンの花柱にナツミカンの花を受粉させた。
また、施肥は、４月、８月、１１月の３回にわたって、骨粉や油粕等の有機質の固形肥料、有機複合肥料、配合化成肥料、あるいは腐葉土を年間を通して施した。【００１４】  １０月下旬には、大きく生育した緑色のレモンが中央部附近から黄色くなり始めた。そして、１１月下旬には、鮮黄色のジャンボレモンに成熟し、収穫できた。一方、通常のレモンは１１月中旬になって緑色のレモンが中央部附近からゆつくりと黄色くなり始めた。この実験では、３０日の短期間でのジャンボレモンの収穫が可能であった。
【産業上の利用可能性】
【００１５】  最近の健康ブームを反映して果実中に大量に含まれるビタミンＣの有効な摂取に対応するため、本発明では、現行のレモンに比較して１．５倍以上の大きな体積を有し、かつ緑色の小さな果実が鮮黄色のレモンに成熟するまで１５−４０日程度の短期間での収穫が可能であり、レモンの速成栽培の利用効果が大きい。
【図面の簡単な説明】
【００１６】
【図１】現行のレモンと本発明により栽培したジャンボレモンを比較した模式図である。
【図２】本発明のレモンの栽培方法を示す模式図である。
【符号の説明】
【００１７】１    現行のレモン
２    本発明のジャンボレモン
３    レモンの木
４    元肥
５    人工芝
６    受粉の状態の拡大図
【図１】
2008154570.tif 000003
【図２】
2008154570.tif 000004